(57)【要約】【課題】乗かご上部機器の上端の高さ寸法を抑えることのできるエレベータ主索の連結装置の提供。【解決手段】昇降路１を昇降する乗かご２とこの乗かご２を懸垂する複数の主索４とを複数のシンブルロッド２０を介して連結するエレベータ主索の連結装置において、乗かご２の上部に、主索４を水平方向に偏向するガイドローラ１０を備え、シンブルロッド４０を乗かご２の上部に水平に設置した構成にしてある。【選択図】図１
2005212941.tif 000002
【特許請求の範囲】
【請求項１】
昇降路を昇降する昇降体とこの昇降体を懸垂する複数の主索とを複数のシンブルロッドを介して連結するエレベータ主索の連結装置において、
前記昇降体の上部に、前記主索を水平方向に偏向するガイドローラを備え、前記シンブルロッドを前記昇降体の上部に水平に設置したことを特徴とするエレベータ主索の連結装置。
【請求項２】
前記請求項１記載の発明において、
前記シンブルロッドを偶数本で構成し、これらのシンブルロッドを左右対称に並列したことを特徴とするエレベータ主索の連結装置。
【請求項３】
前記請求項１記載の発明において、
前記シンブルロッドを放射状に配置したことを特徴とするエレベータ主索の連結装置。
【発明の詳細な説明】
【技術分野】
【０００１】
本発明は、エレベータ主索の連結装置に係り、特に、昇降路を昇降する昇降体とこの昇降体を懸垂する主索とをシンブルロッドを介して連結するエレベータ主索の連結装置に関する。
【背景技術】
【０００２】
この種の従来技術として、昇降路を昇降する昇降体とこの昇降体を懸垂する複数の主索とを連結する複数のシンブルロッドは、昇降体の上部に垂直に設置されていた（例えば、特許文献１参照）。
【特許文献１】特開平５−３２３８５号公報  （段落番号０００８、第１図）
【発明の開示】
【発明が解決しようとする課題】
【０００３】
しかしながら、上述した従来技術では、比較的大きな長さ寸法を有するシンブルロッドが昇降体、例えば乗かご上部に垂直に設置されており、他の乗かご上部機器から突出して配置されることとなる。とろころで、乗かごが最上階に停止したときの乗かご上部機器の上端と昇降路頂部機器の下端との間隔は所定寸法を確保するように規定されており、したがって、従来、省スペース化を図るために昇降路頂部の高さ寸法を低減することが好ましい一方、シンブルロッドの長さ寸法を考慮に入れる必要があることから、著しい省スペース化を望むことは難しかった。
【０００４】
本発明は、上述した従来技術における実情からなされたもので、その目的は、乗かご上部機器の高さ寸法を抑えることのできるエレベータ主索の連結装置を提供することにある。
【課題を解決するための手段】
【０００５】
前記目的を達成するために、本発明の請求項１に係る発明は、昇降路を昇降する昇降体とこの昇降体を懸垂する複数の主索とを複数のシンブルロッドを介して連結するエレベータ主索の連結装置において、前記昇降体の上部に、前記主索を水平方向に偏向するガイドローラを備え、前記シンブルロッドを前記昇降体の上部に水平に設置したことを特徴としている。
【０００６】
このように構成した本発明の請求項１に係る発明は、昇降体の上部に備えたガイドローラにより主索を水平方向に偏向するとともに、主索に連結されるシンブルロッドを昇降体の上部に水平に設置する。このように比較的大きな長さ寸法を有するシンブルロッドを昇降体上部に水平に設置することにより、昇降体上部にシンブルロッドを垂直に設置した従来のものと比較し、シンブルロッドを含む乗かご上部機器の高さ寸法を抑えることができる。
【０００７】
また、本発明の請求項２に係る発明は、前記請求項１記載の発明において、前記シンブルロッドを偶数本で構成し、これらのシンブルロッドを左右対称に並列したことを特徴としている。
【０００８】
このように構成した本発明の請求項２に係る発明は、偶数本のシンブルロッドを昇降体上部に左右対称に並列し、主索をシンブルロッドの本数に対応して分割して接続する。これによって、偶数本のシンブルロッドを介して昇降体をバランスよく懸垂することができる。
【０００９】
さらに、本発明の請求項３に係る発明は、前記請求項１記載の発明において、前記シンブルロッドを放射状に配置したことを特徴としている。
【００１０】
このように構成した本発明の請求項３に係る発明は、３本以上のシンブルロッドを昇降体上部に放射状に配置し、主索をシンブルロッドの本数に対応して分割して接続する。これによって、偶数本あるいは奇数本のシンブルロッドを介して昇降体をバランスよく懸垂することができる。
【発明の効果】
【００１１】
本発明は、シンブルロッドを昇降体上部に水平に設置することにより、シンブルロッドを含む乗かご上部機器の上端部の高さ寸法を抑えることができ、これによって、昇降路頂部の高さ寸法を低減し省スペース化を図ることができる。
【発明を実施するための最良の形態】
【００１２】
以下、本発明に係るエレベータ主索の連結装置の実施形態を図に基づいて説明する。
【００１３】
図１は本発明の第１実施形態を示すエレベータの断面図、図２は本発明の要部構成を示す乗かご上部の側面図、図３は本発明の要部構成を示す乗かご上部の平面図である。
【００１４】
エレベータは図１に示すように、昇降路１を昇降する昇降体、例えば乗かご２およびつり合いおもり３と、これらの乗かご２およびつり合いおもり３を連結する主索４と、昇降路１上方に設置され、主索４の中間位置に巻き掛けられる巻上機５およびそらせシーブ６とを有しており、乗かご２が最上階７に停止したときの乗かご上部機器の上端と昇降路頂部機器の下端との間隔Ｈは所定寸法を確保するように規定されている。
【００１５】
そして、第１実施形態の連結装置は図２に示すように、乗かご２の上梁２ａに取付けられ主索４を水平方向に偏向するガイドローラ１０と、一端が主索４に連結されるとともに上梁２ａに水平に固定されるシンブルロッド２０とを備えている。また、ガイドローラ１０は、上梁２ａに固定されガイドローラ１０を軸支する支持体１０ａと、主索４の屈曲位置に配置されるローラカバー１０ｂが設けられている。さらに、シンブルロッド２０は、一端が主索４に連結されるロッド２０ａと、上梁２ａに固定されロッド２０ａが挿通されるブラケット２０ｂと、一端がブラケット２０ｂに当接されその中央部にロッド２０ａが挿通されるばね２０ｃと、このばね２０ｃの他端が係止されロッド２０ａが挿通されるばね受け２０ｄと、ロッド２０ａの他端に螺合さればね受け２０ｄを介してばね２０ｃを押圧するナット２０ｅとを備えている。さらにまた、本実施形態でシンブルロッド２０は図３に示すように乗かご２上部に偶数本、例えば４本設置され、それぞれが左右対称に並列されている。すなわち、主索４との連結側が乗かご２の中央に位置するようにして２本のシンブルロッド２０が互いに向き合うようにして配置されるとともに、これと同様にして他の２本のシンブルロッド２０が並列されている。
【００１６】
このように構成した第１実施形態によれば、比較的大きな長さ寸法を有するシンブルロッド２０を乗かご２上部に水平に設置することにより、乗かご２上部にシンブルロッドを垂直に設置した従来のものと比較し、シンブルロッド２０を含む乗かご上部機器の高さ寸法を抑えることができ、これに応じて昇降路頂部の高さ寸法を低減し省スペース化を図ることができる。また、偶数本のシンブルロッド２０を乗かご２上部に左右対称に並列することにより、偶数本に分割した主索４および偶数本のシンブルロッド２０により乗かご２をバランスよく懸垂することができる。
【００１７】
なお、前述した第１実施形態ではシンブルロッド２０を４本としたが、本発明はこれに限らず乗かご２の積載荷重等に応じシンブルロッドの本数を適宜設定することができることは言うまでもない。
【００１８】
図４は本発明の第２実施形態を示す乗かご上部の平面図である。なお、前述した図３に示すものと同等のものには同一符号が付してある。すなわち、２は乗かご、２ａは上梁、４は主索である。
【００１９】
第２実施形態の連結装置は図４に示すように、乗かご２の上梁２ａに取付けられ３分割された主索４をそれぞれ水平方向に偏向するガイドローラ３０と、一端が主索４に連結されるとともに上梁２ａに水平、かつ放射状に固定される３本のシンブルロッド４０とを備えている。また、ガイドローラ１０は、上梁２ａに固定されガイドローラ１０を軸支する支持体３０ａと、主索４の屈曲位置に配置される図示しないローラカバーが設けられている。さらに、シンブルロッド４０は、一端が主索４に連結されるロッド４０ａと、上梁２ａに設けられた台座２ｂに固定されロッド４０ａが挿通されるブラケット４０ｂと、一端がブラケット４０ｂに当接されその中央部にロッド４０ａが挿通されるばね４０ｃと、このばね４０ｃの他端が係止されロッド４０ａが挿通されるばね受け４０ｄと、ロッド４０ａの他端に螺合さればね受け４０ｄを介してばね４０ｃを押圧するナット４０ｅとを備えている。
【００２０】
このように構成した第２実施形態によれば、奇数本、すなわち３本のシンブルロッド４０を乗かご２上部に放射状に並列することにより、３本に分割した主索４および３本のシンブルロッド４０により乗かご２をバランスよく懸垂することができる。また、第２実施形態ではシンブルロッドを３本としたが、本発明はこれに限らず乗かご２の積載荷重等に応じシンブルロッドの本数を適宜設定することができるとともに、シンブルロッドを放射状に乗かご２上に等間隔で配置することにより、このシンブルロッドの本数が偶数、奇数であることを問わず乗かご２をバランスよく懸垂することができる。
【図面の簡単な説明】
【００２１】
【図１】本発明の第１実施形態を示すエレベータの断面図である。
【図２】本発明の要部構成を示す乗かご上部の側面図である。
【図３】本発明の要部構成を示す乗かご上部の平面図である。
【図４】本発明の第２実施形態を示す乗かご上部の平面図である。
【符号の説明】
【００２２】
１          昇降路
２          乗かご（昇降体）
４          主索
１０、３０  ガイドローラ
２０、４０  シンブルロッド  
【図１】
2005212941.tif 000003
【図２】
2005212941.tif 000004
【図３】
2005212941.tif 000005
【図４】
2005212941.tif 000006